(57)【要約】【課題】フレーム構造の強度を向上することが可能であるとともに、製品の組立作業やリワークの際の作業効率を改善することが可能な表示装置を提供ことを目的とする。【解決手段】画像を表示する表示エリアを備えた表示パネル１００と、表示パネル１００の一方の主面側に配置され一体化された爪部２１１を有する第１フレーム体２１０と、表示パネル１００の他方の主面側に配置され第１フレーム体２１０の爪部２１１と嵌合する嵌合孔２２１を有する第２フレーム体２２０と、を備え、爪部２１１と嵌合孔２２１とが嵌合する嵌合部２３０を挟んだ両側で第１フレーム体２１０と第２フレーム体２２０とが交差することを特徴とする。【選択図】図３
2007003604.tif 000002
【特許請求の範囲】
【請求項１】
画像を表示する表示エリアを備えた表示パネルと、
前記表示パネルの一方の主面側に配置され、一体化された爪部を有する第１フレーム体と、
前記表示パネルの他方の主面側に配置され、前記第１フレーム体の前記爪部と嵌合する嵌合孔を有する第２フレーム体と、を備え、
前記爪部と前記嵌合孔とが嵌合する嵌合部を挟んだ両側で、前記第１フレーム体と前記第２フレーム体とが交差することを特徴とする表示装置。
【請求項２】
画像を表示する表示エリアを備えた略矩形状の表示パネルと、
前記表示パネルの一方の主面側に配置され、一体化された爪部を有する略矩形枠状の第１フレーム体と、
前記表示パネルの他方の主面側に配置され、前記第１フレーム体の前記爪部と嵌合する嵌合孔を有する略矩形枠状の第２フレーム体と、を備え、
前記爪部と前記嵌合孔とが嵌合する嵌合部を設けた前記第１フレーム体及び前記第２フレーム体の辺において、前記嵌合部で一方のフレーム体が他方のフレーム体の内面に接するとともに、前記嵌合部を挟んだ両側で一方のフレーム体が他方のフレーム体の外面に接することを特徴とする表示装置。
【請求項３】
前記嵌合部は、前記第１フレーム体及び前記第２フレーム体の長辺に設けられたことを特徴とする請求項２に記載の表示装置。
【請求項４】
前記嵌合部は、前記長辺の両端部近傍に設けられたことを特徴とする請求項３に記載の表示装置。
【請求項５】
さらに、前記表示パネルを照明する面光源装置を備え、
前記第１フレーム体及び前記第２フレームは、前記表示パネルとともに前記面光源装置を保持することを特徴とする請求項１または２に記載の表示装置。
【発明の詳細な説明】
【技術分野】
【０００１】
この発明は、表示装置に係り、特に、表示パネルを保持する一対のフレーム体によって構成されたフレーム構造に関する。
【背景技術】
【０００２】
平面表示装置は、画像を表示する表示エリアを備えた表示パネルを備えている。この表示パネルは、その一方の主面側に配置された第１フレーム体と、その他方の主面側に配置された第２フレーム体と、によって保持されている。これらの第１フレーム体及び第２フレーム体は、第１フレーム体の外方または内方に突出した爪部を第２フレーム体の嵌合孔に嵌合することにより、表示パネルを保持しつつ互いに固定されている（例えば、特許文献１参照）。
【特許文献１】特開２００５−１００６９２号公報
【発明の開示】
【発明が解決しようとする課題】
【０００３】
ところで、上述したようなフレーム構造の強度の更なる向上が求められている。すなわち、表示装置に振動や衝撃が加わることによりフレーム全体にねじれ変形が生ずると、爪部が嵌合孔から後退あるいは嵌合孔が爪部から離間することによって両者が外れてしまい、分解してしまうことがある。
【０００４】
このような課題に対して、一方のフレームを他方のフレームで抱えるような爪を設置した構造や、両者をねじ止めするような構造が提案されているが、組立作業が煩雑になるばかりか、製品のリワークに際して作業効率の悪化を招くおそれがある。
【０００５】
この発明は、上述した問題点に鑑みなされたものであって、その目的は、フレーム構造の強度を向上することが可能であるとともに、製品の組立作業やリワークの際の作業効率を改善することが可能な表示装置を提供することにある。
【課題を解決するための手段】
【０００６】
この発明の第１の態様による表示装置は、
画像を表示する表示エリアを備えた表示パネルと、
前記表示パネルの一方の主面側に配置され、一体化された爪部を有する第１フレーム体と、
前記表示パネルの他方の主面側に配置され、前記第１フレーム体の前記爪部と嵌合する嵌合孔を有する第２フレーム体と、を備え、
前記爪部と前記嵌合孔とが嵌合する嵌合部を挟んだ両側で、前記第１フレーム体と前記第２フレーム体とが交差することを特徴とする。
【０００７】
この発明の第２の態様による表示装置は、
画像を表示する表示エリアを備えた略矩形状の表示パネルと、
前記表示パネルの一方の主面側に配置され、一体化された爪部を有する略矩形枠状の第１フレーム体と、
前記表示パネルの他方の主面側に配置され、前記第１フレーム体の前記爪部と嵌合する嵌合孔を有する略矩形枠状の第２フレーム体と、を備え、
前記爪部と前記嵌合孔とが嵌合する嵌合部を設けた前記第１フレーム体及び前記第２フレーム体の辺において、前記嵌合部で一方のフレーム体が他方のフレーム体の内面に接するとともに、前記嵌合部を挟んだ両側で一方のフレーム体が他方のフレーム体の外面に接することを特徴とする。
【発明の効果】
【０００８】
この発明によれば、フレーム構造の強度を向上することが可能であるとともに、製品の組立作業やリワークの際の作業効率を改善することが可能な表示装置を提供することができる。
【発明を実施するための最良の形態】
【０００９】
以下、この発明の一実施の形態に係る表示装置について図面を参照して説明する。
【００１０】
すなわち、図１に示すように、表示装置は、平板状の表示パネル１００を備えている。この表示パネル１００は、画像を表示する表示エリア１０２を備えている。この表示エリア１０２は、マトリクス状に配置された複数の表示画素ＰＸによって構成されている。また、表示パネル１００は、表示エリア１０２を囲む周辺エリア１０４に、画像を表示するのに必要な各種駆動信号を生成する駆動回路（例えば信号線に映像信号を供給する信号線駆動回路や走査線に制御信号を供給する走査線駆動回路）ＤＣを備えている。
【００１１】
また、表示装置は、図２に示すように、表示パネル１００を保持するフレーム２００を備えている。このフレーム２００は、一対のフレーム体すなわち表示パネル１００の一方の主面１００Ａ側に配置される第１フレーム体２１０と、表示パネル１００の他方の主面１００Ｂ側に配置される第２フレーム体２２０と、で構成されている。
【００１２】
図２に示した例では、図１に示したような略矩形状（長方形状）の表示パネル１００に対応すべく、フレーム２００は、略矩形枠状の第１フレーム体２１０及び第２フレーム体２２０によって構成されており、第１フレーム体２１０は一体化された爪部２１１を有しており、また、第２フレーム体２２０は爪部２１１と嵌合する嵌合孔２２１を有している。
【００１３】
これらの爪部２１１及び嵌合孔２２１は、図３に示すように、嵌合部２３０を構成する。そして、嵌合部２３０を挟んだ両側では、第１フレーム体２１０と第２フレーム体２２０とが交差する。
【００１４】
すなわち、第１フレーム体２１０は、一対の長辺２１０Ｌと一対の短辺２１０Ｓとで構成されている。爪部２１１は、第１フレーム体２１０の長辺２１０Ｌにおける側壁２１０Ｗに設けられている。この爪部２１１は、側壁２１０Ｗから外方に向かって突出している。爪部２１１と一体化された長辺２１０Ｌの側壁２１０Ｗは、表示パネル１００の外形寸法に合わせた一続きの面によって構成されている。
【００１５】
第２フレーム体２２０は、一対の長辺２２０Ｌと一対の短辺２２０Ｓとで構成されている。嵌合孔２２１は、第２フレーム体２２０の長辺２２０Ｌにおける側壁２２０Ｗに設けられている。すなわち、長辺２２０Ｌにおける側壁２２０Ｗは、複数に分離されており、表示パネル１００の外形寸法に合わせた第１側壁２２０Ｗ１と、第１側壁２２０Ｗ１から外方に向かって離間した第２側壁２２０Ｗ２とを有しており、これらの第１側壁２２０Ｗ１と第２側壁２２０Ｗ２との間に第１フレーム体２１０の側壁２１０Ｗを挿入可能な隙間が形成されている。ここでは、嵌合孔２２１は、第２側壁２２０Ｗ２に設けられている。
【００１６】
第１フレーム体２１０と第２フレーム体２２０との間に少なくとも表示パネル１００を配置した状態でこれらのフレーム体２１０及び２２０を組み合わせる際、爪部２１１を嵌合孔２２１に嵌合すると、これらで構成された嵌合部２３０では、図４Ａに示すように、第１フレーム体２１０の長辺２１０Ｌにおける側壁２１０Ｗは、第２フレーム体２２０の長辺２２０Ｌにおける第２側壁２２０Ｗ２の内面ＩＮに接する（あるいは間隔をおいて対向する）とともに、嵌合部２３０を挟んだ両側では、図４Ｂに示すように、第１フレーム体２１０の長辺２１０Ｌにおける側壁２１０Ｗは、第２フレーム体２２０の長辺２２０Ｌにおける第１側壁２２０Ｗ１の外面ＯＵＴに接する（あるいは間隔をおいて対向する）。
【００１７】
つまり、第１フレーム体２１０は、爪部２１１と一体の長辺２１０Ｌにおいて、第２フレーム体２２０における嵌合孔２２１を有する内面ＩＮと嵌合孔２２１の両側の外面ＯＵＴとで挟持される。このようなフレーム構造により、表示装置に振動や衝撃が加わることによりねじれ変形が生じたとしても、爪部２１１の嵌合孔２２１からの後退あるいは嵌合孔２２１の爪部２１１からの離間を抑制することができ、両者が外れてしまうことによる製品の分解を防止することができる。
【００１８】
また、爪部２１１と嵌合孔２２１とで構成した嵌合部２３０は、一方のフレーム体を他方のフレーム体で抱えるような爪を設置した構造や、両者をねじ止めするような構造と比較して、製品の組立作業やリワークの際に、煩雑な作業を必要とせず、作業効率を改善することが可能である。
【００１９】
図２及び図３に示した例では、側壁２１０Ｗから外方に向かって突出した爪部２１１と、第１側壁２２０Ｗ１から外方に向かって離間した第２側壁２２０Ｗ２の嵌合孔２２１とで嵌合部２３０を構成したが、図５に示すように、側壁２１０Ｗから内方に向かって突出した爪部２１１と、第１側壁２２０Ｗ１から内方に向かって離間した第２側壁２２０Ｗ２の嵌合孔２２１とで嵌合部２３０を構成しても良い。
【００２０】
このような構成の場合、第１フレーム体２１０と第２フレーム体２２０とを組み合わせる際、爪部２１１を嵌合孔２２１に嵌合すると、これらで構成された嵌合部２３０では、図６Ａに示すように、第１フレーム体２１０の長辺２１０Ｌにおける側壁２１０Ｗは、第２フレーム体２２０の長辺２２０Ｌにおける第２側壁２２０Ｗ２の外面ＯＵＴに接する（あるいは間隔をおいて対向する）とともに、嵌合部２３０を挟んだ両側では、図６Ｂに示すように、第１フレーム体２１０の長辺２１０Ｌにおける側壁２１０Ｗは、第２フレーム体２２０の長辺２２０Ｌにおける第１側壁２２０Ｗ１の内面ＩＮに接する（あるいは間隔をおいて対向する）。
【００２１】
つまり、第１フレーム体２１０は、爪部２１１と一体の長辺２１０Ｌにおいて、第２フレーム体２２０における嵌合孔２２１を有する外面ＯＵＴと嵌合孔２２１の両側の内面ＩＮとで挟持される。このようなフレーム構造によっても図２及び図３を参照して説明した例と同様の効果が得られる。
【００２２】
また、嵌合部２３０は、図２に示したように、長辺２１０Ｌ及び２２０Ｌにおいて少なくとも２箇所設け、且つ、長辺における両端部近傍に設けられることが望ましい。つまり、フレーム２００の全体にねじれ変形が生じたときに変位の少ない角部すなわち長辺の両端部の近傍に嵌合部２３０を設けることにより、両者が外れにくく、製品の分解を防止することができる。
【００２３】
さらに、表示パネル１００を照明する面光源装置を必要とする表示装置においては、フレーム２００は、表示パネル１００とともに面光源装置を保持するような構成であっても良い。
【００２４】
（実施例）  
この実施例では、表示装置として液晶表示装置を例に説明する。すなわち、図７に示すように、液晶表示装置は、表示パネルとして略矩形平板状の透過型の液晶表示パネル１００を備えている。この液晶表示パネル１００は、一対の基板すなわちアレイ基板１１０及び対向基板１２０と、これらの間に光変調層として保持された液晶層１３０と、によって構成されている。この液晶表示パネル１００は、画像を表示する略矩形状の表示エリア１０２を備えている。この表示エリア１０２は、マトリクス状に配置された複数の表示画素ＰＸによって構成されている。
【００２５】
アレイ基板１１０は、表示エリア１０２において、表示画素ＰＸの行方向に沿って延在する複数の走査線Ｙ、表示画素ＰＸの列方向に沿って延在する複数の信号線Ｘ、これらの走査線Ｙと信号線Ｘとの交差部付近において表示画素ＰＸ毎に配置されたスイッチング素子１１１、スイッチング素子１１１に接続された画素電極１１２などを備えている。
【００２６】
対向基板１２０は、表示エリア１０２において、全表示画素ＰＸに共通の対向電極１２１などを備えている。画素電極１１２及び対向電極１２１は、ＩＴＯ（インジウム・ティン・オキサイド）などの光透過性を有する導電材料によって形成されている。これらのアレイ基板１１０及び対向基板１２０は、画素電極１１２と対向電極１２１とを対向させた状態で配設され、これらの間にギャップを形成する。液晶層１３０は、アレイ基板１１０と対向基板１２０とのギャップに封止された液晶組成物によって形成されている。
【００２７】
このような構成の液晶表示パネル１００は、面光源装置としてのバックライト１５０とともに略矩形枠状のフレーム２００によって保持されている。すなわち、バックライト１５０は、液晶表示パネル１００の背面側（アレイ基板１１０側）に配置されている。フレーム２００は、液晶表示パネル１００の対向基板１２０側に配置された第１フレーム体２１０と、バックライト１５０側に配置された第２フレーム体２２０とで構成されている。
【００２８】
第１フレーム体２１０は、長辺２１０Ｌにおいて、側壁２１０Ｗから外方に向かって突出した爪部２１１と一体化されている。第２フレーム体２２０は、長辺２２０Ｌの側壁２２０Ｗにおいて、第１フレーム体２１０の爪部２１１と嵌合する嵌合孔２２１を有している。側壁２２０Ｗは、液晶表示パネル１００及びバックライト１５０の外形寸法に合わせた第１側壁２２０Ｗ１と、第１側壁２２０Ｗ１から外方に向かって離間した第２側壁２２０Ｗ２とを有しており、第２側壁２２０Ｗ２に嵌合孔２２１を備えている。
【００２９】
第２フレーム体２２０の側壁２２０Ｗで囲まれた収容空間内にバックライト１５０を収めた後にバックライト１５０上に液晶表示パネル１００を重ね合わせ、さらに、第１フレーム体２１０を第２フレーム体２２０と組み合わせる。このとき、爪部２１１を嵌合孔２２１に嵌合すると、第１フレーム体２１０は、爪部２１１と一体の長辺２１０Ｌにおいて、第２フレーム体２２０における第１側壁２２０Ｗ１と嵌合孔２２１を有する第２側壁２２０Ｗ２とで挟持される。
【００３０】
このようにして組み立てられた液晶表示装置を７５ｃｍの高さから落下しても嵌合部２３０において爪部２１１と嵌合孔２２１とが外れることはなかった。また、９．８×１０２ｍ／ｓ、ｔ＝６ｍｓの条件で、Ｘ方向（液晶表示装置の長辺方向）、Ｙ方向（液晶表示装置の短辺方向）、及び、Ｚ方向（液晶表示装置の法線方向）からそれぞれ２回の衝撃試験を行ったが、液晶表示装置は分解することなく、また変形や破損も生じなかった。
【００３１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３２】
例えば、上述した実施の形態において、表示装置は、有機ＥＬ（エレクトロルミネッセンス）表示装置などの自己発光型表示装置でも良い。有機ＥＬ表示装置の場合、表示パネル１００は、各表示画素ＰＸにおいて、画素回路及び画素回路によって駆動制御される表示素子を備えて構成されている。
【００３３】
また、上述した実施の形態では、第１フレーム体２１０に爪部２１１を設け、第２フレーム体２２０に嵌合孔２２１を設けた例について説明したが、第２フレーム体２２０に爪部を設け、第１フレーム体２１０に嵌合孔を設けた構成であっても同様の効果が得られる。
【００３４】
さらに、上述した実施の形態では、爪部２１１と一体の側壁２１０Ｗは一続きの面によって構成し、嵌合孔２２１を有する側壁２２０Ｗは複数に分離した例について説明したが、嵌合孔２２１を有する側壁２２０Ｗを一続きの面によって構成し、爪部２１１の両側で側壁２１０Ｗを分離しても良い。つまり、爪部２１１と嵌合孔２２１とが嵌合する嵌合部２３０を設けた第１フレーム体２１０及び第２フレーム体２２０の辺において、嵌合部２３０で一方のフレーム体が他方のフレーム体の内面に接するとともに、嵌合部２３０を挟んだ両側で一方のフレーム体が他方のフレーム体の外面に接するように構成されていれば良い。このような構成であっても同様の効果が得られる。
【図面の簡単な説明】
【００３５】
【図１】図１は、この発明の一実施の形態に係る表示パネルの構成を概略的に示す図である。
【図２】図２は、図１に示した表示パネルを保持するフレームの構成を概略的に示す分解斜視図である。
【図３】図３は、図２に示したフレームにおける嵌合部の構造を示した拡大図である。
【図４Ａ】図４Ａは、図３に示したフレームの嵌合部をＡ−Ａ線で切断したときの断面構造を概略的に示す図である。
【図４Ｂ】図４Ｂは、図３に示したフレームの嵌合部の側部をＢ−Ｂ線で切断したときの断面構造を概略的に示す図である。
【図５】図５は、フレームにおける他の嵌合部の構造を示した拡大図である。
【図６Ａ】図６Ａは、図５に示したフレームの嵌合部をＣ−Ｃ線で切断したときの断面構造を概略的に示す図である。
【図６Ｂ】図６Ｂは、図５に示したフレームの嵌合部の側部をＤ−Ｄ線で切断したときの断面構造を概略的に示す図である。
【図７】図７は、実施例に係る液晶表示装置の構成を概略的に示す分解斜視図である。
【符号の説明】
【００３６】
ＰＸ…表示画素
ＩＮ…内面
ＯＵＴ…外面
１００…表示パネル（液晶表示パネル）
１１０…アレイ基板
１２０…対向基板
１３０…液晶層
１５０…バックライト
２００…フレーム
２１０…第１フレーム体
２１０Ｌ…長辺
２１０Ｗ…側壁
２１１…爪部
２２０…第２フレーム体
２２０Ｌ…長辺
２２０Ｗ…側壁
２２０Ｗ１…第１側壁
２２０Ｗ２…第２側壁
２２１…嵌合孔
２３０…嵌合部
【図１】
2007003604.tif 000003
【図２】
2007003604.tif 000004
【図３】
2007003604.tif 000005
【図４Ａ】
2007003604.tif 000006
【図４Ｂ】
2007003604.tif 000007
【図５】
2007003604.tif 000008
【図６Ａ】
2007003604.tif 000009
【図６Ｂ】
2007003604.tif 000010
【図７】
2007003604.tif 000011